(57)【特許請求の範囲】
【請求項１】
竿管の後部に設けられたコルク材等のグリップ部の前端部に、該前端部を保護できるアルミニウム等のキャップ部材を装着させており、該キャップ部材後端部は前記グリップ部材前端部に対面する大径部であり、その前部が縮径筒部に構成されており、
前記大径部はその前側面が中心側に行くに従って前方に出るように傾斜した傾斜面となっており、
前記縮径筒部の内面には長手方向に溝を設けており、該溝に針金状部材を通して係止させており、該針金状部材の前側部を折り曲げて前記縮径筒部の外周に至らしめ、該針金状部材と縮径筒部の外周面とで釣糸の挿通可能な大きさの閉じた空隙部を区画形成し、縮径筒部外周面に接触した針金状部材出入部のその先部は縮径筒部の外周面から離隔しており、
通常時は釣糸が抜け出ない程度に前記出入部が閉じられ、該閉じられた出入部は空隙部を形成する針金状部材の弾性変形によって釣糸が出入り可能に外部に開放可能に構成されていることを特徴とする釣竿。
【発明の詳細な説明】
【０００１】
【発明の属する技術分野】
本発明は、釣り場の移動の際等に、道糸に結着した仕掛けや道糸の釣糸を引っ掛け拘束できる釣竿に関する。
【０００２】
【従来の技術】
釣り場の移動等の際に、仕掛けが絡まったり、途中の木や人体に引っ掛ることを防止するために道糸や仕掛けを拘束する例として、実開昭６１−１０８１８７号公報には、切込みを設けた部位に釣糸を係止させる構造が開示されている。また、実用新案登録第３０２４３４２号公報には、開口を有する釣糸の引っ掛け部材の装着された釣竿が開示されている。
【０００３】
【発明が解決しようとする課題】
然しながら、前者では、挟持された位置の釣糸が変形したり傷つき、魚釣り中に切断され、仕掛けを失うこともある。後者では、移動中の振れにより釣糸が容易に外れる可能性が高い。
【０００４】
依って本発明は、釣糸の動きを拘束できると共に、釣糸変形を防止しつつ外れ難くすることを目的とする。
【０００５】
【課題を解決するための手段】
上記目的に鑑みて本発明は、請求項１では、竿管の後部に設けられたコルク材等のグリップ部の前端部に、該前端部を保護できるアルミニウム等のキャップ部材を装着させており、該キャップ部材後端部は前記グリップ部材前端部に対面する大径部であり、その前部が縮径筒部に構成されており、前記大径部はその前側面が中心側に行くに従って前方に出るように傾斜した傾斜面となっており、前記縮径筒部の内面には長手方向に溝を設けており、該溝に針金状部材を通して係止させており、該針金状部材の前側部を折り曲げて前記縮径筒部の外周に至らしめ、該針金状部材と縮径筒部の外周面とで釣糸の挿通可能な大きさの閉じた空隙部を区画形成し、縮径筒部外周面に接触した針金状部材出入部のその先部は縮径筒部の外周面から離隔しており、通常時は釣糸が抜け出ない程度に前記出入部が閉じられ、該閉じられた出入部は空隙部を形成する針金状部材の弾性変形によって釣糸が出入り可能に外部に開放可能に構成されていることを特徴とする釣竿を提供する。
通常時とは、仕掛けを有する釣糸の重さ以上には力の作用していない状態をいう。
釣糸が抜け出るとは、主として釣糸が長手方向に抜けるのではなく、釣糸の長手方向に対して交差する側方から抜け出ることを意味する。
【０００６】
請求項１では、空隙部の出入口は部材の弾性変形によって釣糸が出入り可能に外部に開放可能に構成されているため、該空隙部内に釣糸を通すことができ、該空隙部は釣糸が抜け出ない程度に閉じられているため、この空隙部内に入った釣糸は不用意には抜けないで安定して拘束される。
【０００７】
【発明の実施の形態】
以下、本発明を添付図面に示す形態例に基づき、更に詳細に説明する。
図１は本発明に係る釣竿の要部を示す側面図であり、図２はその一部の拡大縦断面図である。竿はルアーロッドの１例である。竿管１０の後部には天然や人工のコルク材等によるグリップ部１２が設けられている。グリップ部１２の前端が崩れて破損しないように、アルミニウム等のキャップ部材１４を被せて保護している。このキャップ部材１４は傾斜面１４Ａを有し、その前部が縮径されており、この縮径筒部１４Ｂに竿管１０が挿通されている。
【０００８】
前記縮径筒部の内面には長手方向に溝１４Ｍを設けており、この溝に図示のように釣糸係止用（仕掛け係止用としても使用できる）の針金状部材１６を通して係止させている。針金状部材１６が縮径筒部の外周に出た部位は、Ｓ字状の形をしており、途中部位の出入部１６Ｃは縮径筒部の外周面に接触しており、針金状部材１６は縮径筒部の外周面と併せて、釣糸の挿通可能な大きさの閉じた空隙部Ｋを区画形成している。針金状部材１６の先端部１６Ｅは縮径筒部の外周面から離隔する方向に延伸しているため、ここに釣糸の側部を針金状部材１６の弾性力に抗して押込めば、出入部１６Ｃが縮径筒部の外周面から離れる方向に開き、釣糸を空隙部Ｋに押込んで挿通し易く、空隙部Ｋ内に入ると、釣り場の移動の際等において道糸や仕掛けを拘束できる。
【０００９】
釣糸を空隙部Ｋに挿通させるためには、針金状部材１６の先端部１６Ｅの下に釣糸をその側方から入れなければならず、このため、キャップ部材１４のフランジ面（ここでは傾斜面１４Ａ）からある程度の距離Ｗ１離れていればこの作業が迅速に可能となる。絶対寸法としては３ｍｍ以上に設定したほうがよい。然しながら、あまり離れ過ぎていると釣りの際に釣糸が引っ掛り易い。従って、距離Ｗ１は、フランジ部の高さ寸法（グリップ部との段差寸法）Ｈ１に対して１．５倍程度くらいまでの距離が好ましい。更には、グリップ部１２から３０ｃｍ以内の位置に設定すると着脱操作が容易迅速にできる。また、グリップ部の前端段差部が直角でなく、この形態例のような傾斜状であれば、釣糸を空隙部Ｋに挿通させる作業が容易である。
【００１０】
釣糸を空隙部Ｋに通す際に、針金状部材１６が弾性変形して出入部１６Ｃが縮径筒部の表面に対して半径方向に離れ、再び表面に当接する。この当接する際の音が釣人にとって聞き取れる程度の大きさであれば、釣人は必ずしも目視していなくても釣糸挿通作業が完了したことが判り、便利である。このためには、縮径筒部１４Ｂと針金状部材１６とは共に金属であることが好ましい。また、針金状部材１６がばね材であればより効果的な当接音がする。
【００１１】
釣糸係止用の部材１６を装着するために、専用の基台を使用してもよいが、この形態例のように他の目的により必要なキャップ部材１４を利用して装着すれば、その分、軽量で安価な釣竿が提供できる。竿管外側の釣糸ガイドやリールシートを利用してもよい。
図３は第１の形態例と同様のキャップ部材１４を利用して釣糸係止用の部材１６を他の形態で装着した参考例を示す。縮径筒部１４Ｂの外面に円周方向の溝１４Ｍ’を形成し、この溝に釣糸係止用部材である針金状部材１６を巻回配設した例である。
【００１２】
図４は竿管１０（或いはグリップ部１２等でもよい）に対して専用の基台２４を装着して、これに釣糸係止用の部材２６，２６’を装着した参考例を示す。（ｂ）は（ａ）の矢視線Ｄ−Ｄによる断面図である。基台２４には竿管１０の長手方向に沿った溝を左右側面に形成しており、この溝に沿ってゴム部材からなる釣糸係止用の部材２６，２６’を配設、接着固定している。各部材内は釣糸１８が挿通可能で、通常時は釣糸１８が抜け出ないように出入口２６Ｄ，２６Ｄ’の閉じられた空隙部Ｋ，Ｋ’が区画形成されている。然しながら、弾性を有するゴム部材によって閉じられているに過ぎないため、釣糸１８を挿通させる際には、釣糸１８の側方からの所定の力によって内部の空隙部Ｋに押込むことができる。左右何れの空隙部を使用することもできるが、当然、一方だけ構成することもできる。
【００１３】
図５は、針金状部材２８を図示の如く旋回させて、一端側の部位２８Ｅを他端側の部位２８Ａに当接させ、この他端側の端部を竿管１０等に固着させた参考構造である。旋回したリングによって、通常時は釣糸が抜け出ない程度に出入口の閉じられた空隙部Ｋが区画形成されている。前記一端側の部位２８Ｅが他端側の部位２８Ａに当接している部位が釣糸の出入口であり、所定の力で押込めば、釣糸は空隙部内に挿通させられる。反復使用するためには、この針金状部材２８をばね材で形成するとよい。
【００１４】
図６は他の参考形態例を示す図であり、竿管１０に基台２０が装着され、これに頭部が広く、軸部を有する２個の鋲状部材２２Ａ，２２Ｂが立設されている。この２個の鋲状部材２２Ａ，２２Ｂと基台２０とによって釣糸１８が挿通可能な空隙部Ｋを区画形成している。但し、前記各形態例とは異なり、通常時にも２個の鋲状部材２２Ａ，２２Ｂの間に釣糸の直径以上の大きな幅Ｗ２（１ｍｍ程度以下、好ましくは０．５ｍｍ以下）の開口ＫＤが形成されており、ここから空隙部Ｋに釣糸１８をその側方から挿入して釣糸が竿から離れることを拘束させることができる。開口から釣糸を挿入する際には竿管１０に対して概ね横方向（左右方向）にして行うが、空隙部内に収まれば釣糸１８は概ね長手方向となる（図６（ａ））。従って、釣糸１８が空隙部Ｋ内に収まった後は、概ね９０度方向変化を生じないと抜け出ない。従って、釣糸を安定拘束できる。
【００１５】
空隙部Ｋの高さは２個の鋲状部材２２Ａ，２２Ｂの軸部２２ａ，２２ｂの長さによって定まるが、この長さを釣糸１８に装着した重り１９の厚さ未満に設定すれば、釣糸の軸長方向にも抜け出ない（図６（ａ）の右側が竿元側）。また、重り１９の重力作用で釣糸１８が釣竿の長手方向に沿い易く、その分釣糸が外れ難い。
【００１６】
図７は更に他の参考形態例を示す図であり、（ｂ）は（ａ）の矢視線Ｇ−Ｇによる横断面図である。釣竿の図１に示す縮径部１４Ｂ等を利用して、図７に示す概ねＳ字形状の針金状部材３０を装着している。縮径部１４Ｂの表面部には図示の如き半円筒状の凹部１４Ｄを形成しており、この凹部を含む縮径部表面とＳ字状部材３０とによって空隙部Ｋを区画形成している。Ｓ字状部材３０の出口部３０Ｃと凹部１４Ｄの表面とによって釣糸を側方から出入りさせられる大きさ、従って、釣糸の直径よりも大きな幅Ｗ２（１ｍｍ程度以下、好ましくは０．５ｍｍ以下）の開口ＫＤを形成しており、釣糸１８を撓ませて釣糸の側方を開口ＫＤを通して空隙部Ｋ内に通すことができる。
【００１７】
然しながら、Ｓ字状部材３０の出入部３０Ｄが縮径部１４Ｂの外表面よりも凹部１４Ｄ内に沈んでいる（完全に沈んでいなくてもよい）ため、釣糸１８（仕掛け等）が何かに引っ掛って釣糸１８に外力が作用しても、容易には外れない。外れるには、外力によって張力の作用している釣糸１８が弛んで撓む必要が有り、このことにより不用意には外れ難く、信頼性が高い。
【００１８】
図８は他の参考形態例を示す図であり、竿管１０に設けた基台３２に図示の如きコ字状の部材を立設させている。図の右側が手元側である。コ字状部材３４はその一部３４Ａが開口ＫＤによって途切れており、該基台表面とコ字状部材３４とによって空隙部Ｋが区画形成されている。前記一部３４Ａも基台表面に立設しているので、開口ＫＤは途中位置に存在する。該開口の幅Ｗ２は釣糸の直径以上であり、１ｍｍ程度以下、好ましくは０．５ｍｍ以下である。空隙部Ｋに収まった釣糸１８は外力を受けるとその方向に移動するが、方向Ｄ３，Ｄ４，Ｄ５，Ｄ６に示す方向範囲がその大部分である。
【００１９】
他のＤ１やＤ２、或いはその他の方向は少ない。前記の中で、方向Ｄ５は丁度開口ＫＤを通過する方向であり、しかも開口ＫＤの幅Ｗ２は狭いため、極めて稀である。その他のＤ３，Ｄ４，Ｄ６は、一般的方向であり、釣糸１８が引っ掛った際にはこれらの方向となることが多い。然しながら、これらの方向では、釣糸１８はコ字状部材３４に引っ掛り、方向を変更しない限り開口ＫＤには達しない。従って、釣糸が引っ掛る大部分の場合、釣糸は空隙部Ｋの開口ＫＤから不用意に抜け出ない。
【００２０】
この例と異なり、コ字状部材３４の一部３４Ａが存在せず、コ字状部材３４と基台表面との隙間が上記開口ＫＤであっても、開口隙間幅Ｗ２が既述の如く小さければ釣糸は不用意に抜け出ないが、図８のほうがより確かである。また、部材３４の形状はコ字状以外でもよく、例えば円弧形でもよい。
また、図６から図８までの開口幅Ｗ２が釣糸の直径未満の場合は、図１から図５の変形例と考えることができる（通常時は釣糸が抜け出ない程度に出入口が閉じられているため）。
【００２１】
釣竿に使用する釣糸の最大径が決まっている場合には、上記幅Ｗ２は釣糸の最大直径より大きく２倍以下に設定するとよい。
図４の例と同様に、以上の各形態例では、空隙部Ｋを区画形成している部位にゴムやスポンジ等の軟質材を被覆してもよく、また更に、少なくとも空隙部の輪郭を糸滑り性のよいエラストマー樹脂で形成すれば、釣糸に傷がつき難い。
【００２２】
図９は毛針３８等の仕掛け部品を損傷させ難くして係止させる参考係止構造を示し、（ａ）は側面図、（ｂ）は平面図である。図の右側が手元側である。竿管１０に設けた基台３２に、針金状部材３６を固定している。該部材３６は手元側から傾斜部３６Ｋによって漸次高くなり、その先部は釣針が係止できるように構成しており、この係止部の高さＨ２は毛針３８の毛の長さより高く形成しているか、或いは概ね同じ程度に形成しており、毛に折れ癖等が付き難い。傾斜部３６Ｋは前方に傾斜しているため、ここに釣針を係止させれば自然に係止部にまで移動できる。また、釣りの最中において、この部位に仕掛け等が絡み難い。
【００２３】
以上の各釣糸係止用の部材を釣竿に対して着脱自在にしてもよい。その方法として、部材をゴムリング状基台に装着したり、ねじやビスによって固定したり、釣竿に形成した受部に嵌着したり圧入したりする。また、その場合の取付け位置を選択可能にしたり、或いは部材の方向を変更できるようにしたりするとよい。
【００２４】
【発明の効果】
以上の説明から明らかなように本発明によれば、釣糸の動きを拘束できると共に、釣糸変形を防止しつつ外れ難くすることができる。
【図面の簡単な説明】
【図１】  図１は本発明に係る釣竿の要部側面図である。
【図２】  図２は図１の一部の拡大縦断面図である。
【図３】  図３は参考形態例の釣竿要部側面図である。
【図４】  図４は他の参考形態例の釣竿要部平面図と断面図である。
【図５】  図５は他の参考形態例の釣竿要部を示す図である。
【図６】  図６は他の参考形態例の釣竿要部平面図と断面図である。
【図７】  図７は他の参考形態例の釣竿要部縦断面図と横断面図である。
【図８】  図８は他の参考形態例の釣竿要部側面図である。
【図９】  図９は参考の釣針係止用部材を有する釣竿要部側面図と平面図である。
【符号の説明】
１０              竿管
Ｋ                空隙部
ＫＤ              開口
【図１】
0003894662.tif 000002
【図２】
0003894662.tif 000003
【図３】
0003894662.tif 000004
【図４】
0003894662.tif 000005
【図５】
0003894662.tif 000006
【図６】
0003894662.tif 000007
【図７】
0003894662.tif 000008
【図８】
0003894662.tif 000009
【図９】
0003894662.tif 000010